(57)【特許請求の範囲】
【請求項１】
第１及び第２のヘッドバンド部材と、
上記第１及び第２のヘッドバンド部材の一端部側が近接離間するように上記第１及び第２のヘッドバンド部材の他端部側を回動可能に枢支する第１の枢支部と、
それぞれの一端側に第１及び第２のスピーカユニットが取り付けられた第１及び第２のスピーカユニット支持部材と、
上記第１及び第２のスピーカユニット支持部材の他端部側を上記第１及び第２のヘッドバンド部材の一端側に回動可能に枢支し、上記第１の枢支部の回動中心軸とほぼ直交する方向の回動中心軸を有する第２及び第３の枢支部と、
上記第１及び第２のスピーカユニット支持部材に設けられ、頭部に装着したとき、頭部と耳介との間に係止される耳掛け部とを有し、
上記第１及び第２のスピーカユニット支持部材を第２及び第３の枢支部を中心に上記第１及び第２のヘッドバンド部材側に折り畳み、上記第１及び第２のヘッドバンド部材を上記第１の枢支部を中心に一端部側を近接させる方向に折り畳んだとき、上記耳掛け部が、上記第１及び第２のスピーカユニット支持部材と上記第１及び第２のヘッドバンド部材とによって囲まれた領域にほぼ収納されてなるヘッドホン装置。
【請求項２】
上記第１及び第２のスピーカユニットは、放音面側を相対向させて上記第１及び第２のスピーカユニット支持部材の一端側に取り付けられ、上記耳掛け部は、上記第１及び第２のスピーカユニットの放音面側に臨むように上記第１及び第２のスピーカユニット支持部材に設けられていることを特徴とする請求項１記載のヘッドホン装置。
【請求項３】
上記耳掛け部は、柔軟性を有する弾性体により形成されたことを特徴とする請求項１記載のヘッドホン装置。
【請求項４】
上記第１及び第２のスピーカユニットのいずれか一方から引き出され、上記第１及び第２のスピーカユニット支持部材のいずれか一方から上記第１及び第２のヘッドバンド部材に挿通され、さらに上記第１及び第２のスピーカユニット支持部材のいずれか他方に挿通され、上記第１及び第２のスピーカユニット支持部材のいずれか他方から引き出される接続コードとを備えることを特徴とする請求項１記載のヘッドホン装置。
【請求項５】
上記接続コードは、上記第２及び第３の枢支部の回動中心軸を中心にして上記第１及び第２のスピーカユニット支持部材の上記第１及び第２のヘッドバンド部材に対する近接する方向への回動方向の外周側に余裕分が設けられていることを特徴とする請求項４記載のヘッドホン装置。
【請求項６】
上記第２及び第３の枢支部を中心に回動する上記第１及び第２のスピーカユニット支持部材の上記第１及び第２のヘッドバンド部材に対する回動範囲を規制する回動規制部が設けられていることを特徴とする請求項１記載のヘッドホン装置。
【請求項７】
第１及び第２のヘッドバンド部材と、
上記第１及び第２のヘッドバンド部材の一端部側が近接離間するように上記第１及び第２のヘッドバンド部材の他端部側を回動可能に枢支する第１の枢支部と、
それぞれの一端側に第１及び第２のスピーカユニットが取り付けられた第１及び第２のスピーカユニット支持部材と、
上記第１及び第２のスピーカユニット支持部材の他端部側を上記第１及び第２のヘッドバンド部材の一端側に回動可能に枢支し、上記第１の枢支部の回動中心軸とほぼ直交する方向の回動中心軸を有する第２及び第３の枢支部とを備え、
上記第１及び第２のスピーカユニット支持部材は、上記第１及び第２のスピーカユニットの外周側を囲むように湾曲された湾曲部、及び該湾曲部の一端側に上記第１及び第２のスピーカユニットを支持するスピーカユニット支持部を有し、
上記第２及び第３の枢支部は、上記第１及び第２のスピーカユニット支持部材と第１及び第２のヘッドバンド部材とが近接する第１の位置と、上記第１及び第２のスピーカユニット支持部材と第１及び第２のヘッドバンド部材とが一連に連続させる第２の位置とを回動可能とし、
上記第１の位置に回動されたとき、第１及び第２のスピーカユニットの少なくとも一部が、上記第１及び第２のスピーカユニット支持部材と第１及び第２のヘッドバンド部材との間に配置されることを特徴とするヘッドホン装置。
【請求項８】
上記第１及び第２のスピーカユニット支持部材の上記湾曲部の内周側に設けられ、頭部に装着したとき、頭部と耳介との間に係止される耳掛け部を有することを特徴とする請求項７記載のヘッドホン装置。
【請求項９】
上記耳掛け部は、第１及び第２のスピーカユニットの放音面側に臨むように第１及び第２のスピーカユニット支持部材に設けられることを特徴とする請求項８記載のヘッドホン装置。
【請求項１０】
上記第１及び第２のスピーカユニット支持部材には、他端部側に嵌合部が形成され、上記第１及び第２のヘッドバンド部材には、上記第１及び第２のスピーカユニット支持部材と第１及び第２のヘッドバンド部材とが一連に連続させるように回動されたとき、上記嵌合部が当接する係止段部が形成されていることを特徴とする請求項７記載のヘッドホン装置。
【請求項１１】
上記第１及び第２のスピーカユニットのいずれか一方から引き出され、上記第１及び第２のスピーカユニット支持部材のいずれか一方から上記第１及び第２のヘッドバンド部材に挿通され、さらに上記第１及び第２のスピーカユニット支持部材のいずれか他方に挿通され、上記第１及び第２のスピーカユニット支持部材のいずれか他方から引き出される接続コードとを備えることを特徴とする請求項７記載のヘッドホン装置。
【請求項１２】
上記接続コードは、上記第２及び第３の枢支部の回動中心軸を中心にして上記第１及び第２のスピーカユニット支持部材の上記第１及び第２のヘッドバンド部材に対する近接する方向への回動方向の外周側に余裕分が設けられていることを特徴とする請求項７記載のヘッドホン装置。
【請求項１３】
上記第２及び第３の枢支部を中心に回動する上記第１及び第２のスピーカユニット支持部材の上記第１及び第２のヘッドバンド部材に対する回動範囲を規制する回動規制部が設けられていることを特徴とする請求項７記載のヘッドホン装置。
【請求項１４】
第１及び第２のヘッドバンド部材と、
上記第１及び第２のヘッドバンド部材の一端部側が近接離間するように上記第１及び第２のヘッドバンド部材の他端部側を回動可能に枢支する第１の枢支部と、
それぞれの一端側に第１及び第２のスピーカユニットが取り付けられた第１及び第２のスピーカユニット支持部材と、
上記第１及び第２のスピーカユニット支持部材の他端部側を上記第１及び第２のヘッドバンド部材の一端側に回動可能に枢支し、上記第１の枢支部の回動中心軸とほぼ直交する方向の回動中心軸を有する第２及び第３の枢支部とを有し、
上記第１及び第２のスピーカユニット支持部材は、上記第１及び第２のスピーカユニットの外周側を囲むように湾曲された湾曲部、及び該湾曲部の一端側に上記第１及び第２のスピーカユニットを支持するスピーカユニット支持部を有し、
上記第１及び第２のスピーカユニット支持部材には、他端部側に嵌合部が形成され、上記第１及び第２のヘッドバンド部材の他端部に突設された回動支持部の基端部側には上記第１及び第２のスピーカユニット支持部材と第１及び第２のヘッドバンド部材とが一連に連続するように回動されたとき、上記嵌合部が当接する係止段部が形成され、上記嵌合部及び上記係止段部は、上記湾曲部の湾曲された側に形成されていることを特徴とするヘッドホン装置。
【請求項１５】
上記第１及び第２のスピーカユニット支持部材の上記湾曲部の内周側に設けられ、頭部に装着したとき、頭部と耳介との間に係止される耳掛け部を有することを特徴とする請求項１４記載のヘッドホン装置。
【請求項１６】
上記耳掛け部は、第１及び第２のスピーカユニットの放音面側に臨むように第１及び第２のスピーカユニット支持部材に設けられることを特徴とする請求項１５記載のヘッドホン装置。
【発明の詳細な説明】
【０００１】
【発明の属する技術分野】
本発明は、頭部に装着されるヘッドバンドにスピーカユニットを支持した頭部装着型のヘッドホン装置に関し、特に折り畳み可能としたヘッドホン装置に関する。
【０００２】
【従来の技術】
頭部に装着されて用いられる頭部装着型のヘッドホン装置として、携帯時や収納時に小型化を可能とするため、左右一対の第１及び第２のスピーカユニットを第１及び第２のヘッドバンド支持部材を介して支持する第１及び第２のヘッドバンド部材を枢支部を介して回動可能に連結することにより折り畳み可能としたものが用いられている。
【０００３】
さらに、折り畳み可能としたヘッドホン装置として、第１及び第２のヘッドバンド部材を折り畳み可能に連結するとともに、さらに、第１及び第２のヘッドバンド部材に第１及び第２のスピーカユニットを支持した第１及び第２のスピーカユニット支持部材を枢支部を介して回動可能に連結することによって、第１及び第２のスピーカユニット支持部材を第１及び第２のヘッドバンド部材に対し折り畳み可能とし、一層の小型化を図ったものが提案されている。
【０００４】
【発明が解決しようとする課題】
従来用いられ、あるいは提案されている折り畳み可能とされたヘッドホン装置は、第１及び第２のヘッドバンド部材が折り畳み可能であり、さらに第１及び第２のスピーカユニット支持部材が第１及び第２のヘッドバンド部材に対し折り畳み可能とするのみであり、良好な装着感を得ることが困難である。
【０００５】
また、従来用いられ、あるいは提案されている折り畳み可能とされたヘッドホン装置は、左右の耳介に装着される第１及び第２のスピーカユニットからそれぞれ接続コードが引き出され、中途部で連結され一体化され、一体化された接続コードの先端部に接続用プラグを取り付けるようにしている。
【０００６】
このように、接続コードを第１及び第２のスピーカユニットからそれぞれ引き出し、中途部で連結したヘッドホン装置にあっては、折り畳んだときの接続コードを効率よく巻く付けることができなくなるばかりか、頭部へ装着したとき、頭部の両側から接続コードが引き出されるため、接続コードが邪魔になり良好な装着状態を得ることができなくなる。
【０００７】
また、接続コードを第１及び第２のスピーカユニットからそれぞれ引き出したヘッドホン装置にあっては、第１及び第２のヘッドバンド部材及び接続コードでリング状に形成されるため、頭部を接続コード間にくぐらせるような装着を行う必要があり、装着操作が困難となっている。特に、第１及び第２のヘッドバンド部材を頭部の後方側に装着するようにしたヘッドホン装置にあっては、頭部を完全に接続コード間にくぐらせるように装着する必要があり、装着操作が一層困難となってしまっている。
【０００８】
そこで、本発明の目的は、折り畳みが可能で、良好な装着感が得られるヘッドホン装置を提供することにある。
【０００９】
本発明の他の目的は、良好な装着感を実現する耳掛け部の確実な保護を図って折り畳み、持ち運び時や搬送時に損傷を受けることを防止することができるヘッドホン装置を提供することにある。
【００１０】
本発明のさらに他の目的は、容易に折り畳みを行うことができ、スピーカユニットから引き出される接続コードの保護を図ることができるヘッドホン装置を提供することにある。
【００１１】
【課題を解決するための手段】
上述したような目的を達成するため、本発明に係るヘッドホン装置は、第１及び第２のヘッドバンド部材と、これら第１及び第２のヘッドバンド部材の一端部側が近接離間するように上記第１及び第２のヘッドバンド部材の他端部側を回動可能に枢支する第１の枢支部と、それぞれの一端側に第１及び第２のスピーカユニットが取り付けられた第１及び第２のスピーカユニット支持部材と、これら第１及び第２のスピーカユニット支持部材の他端部側を上記第１及び第２のヘッドバンド部材の一端側に回動可能に枢支し、第１の枢支部の回動中心軸とほぼ直交する方向の回動中心軸を有する第２及び第３の枢支部と、第１及び第２のスピーカユニット支持部材に設けられ、頭部に装着したとき、頭部と耳介との間に係止される耳掛け部とを有し、第１及び第２のスピーカユニット支持部材を第２及び第３の枢支部を中心に第１及び第２のヘッドバンド部材側に折り畳み、第１及び第２のヘッドバンド部材を第１の枢支部を中心に一端部側を近接させる方向に折り畳んだとき、耳掛け部が、第１及び第２のスピーカユニット支持部材と第１及び第２のヘッドバンド部材とによって囲まれた領域にほぼ収納されるようにしたものである。
【００１２】
このヘッドホン装置は、頭部に装着されたとき、第１及び第２のスピーカユニット支持部材に設けられた耳掛け部が頭部と耳介との間に係止されることにより、安定した状態で係止される。耳掛け部を、柔軟性を有する弾性体により形成することにより、良好な装着感が得られる。
【００１３】
ここで、第１及び第２のスピーカユニットは、放音面側を相対向させて第１及び第２のスピーカユニット支持部材の一端側に取り付けられ、耳掛け部は、第１及び第２のスピーカユニットの放音面側に臨むように第１及び第２のスピーカユニット支持部材に設けられることにより、スピーカユニットと耳掛け部で耳介を挟持するように装着でき、安定した装着状態が得られる。
【００１４】
そして、第１及び第２のスピーカユニットのいずれか一方から引き出され、第１及び第２のスピーカユニット支持部材のいずれか一方から第１及び第２のヘッドバンド部材に挿通され、さらに第１及び第２のスピーカユニット支持部材のいずれか他方に挿通され、第１及び第２のスピーカユニット支持部材のいずれか他方から引き出される接続コードを設け、この接続コードに第２及び第３の枢支部の回動中心軸を中心にして第１及び第２のスピーカユニット支持部材の第１及び第２のヘッドバンド部材に対する近接する方向への回動方向の外周側に余裕分を設けることにより、第１及び第２のスピーカユニット支持部材と第１及び第２のヘッドバンド部材との回動により生ずる接続コードの経路差を吸収して、安定した回動を実現し、容易な折り畳みを行うことができる。
【００１５】
また、本発明に係るヘッドホン装置は、第１及び第２のヘッドバンド部材と、これら第１及び第２のヘッドバンド部材の一端部側が近接離間するように上記第１及び第２のヘッドバンド部材の他端部側を回動可能に枢支する第１の枢支部と、それぞれの一端側に第１及び第２のスピーカユニットが取り付けられた第１及び第２のスピーカユニット支持部材と、これら第１及び第２のスピーカユニット支持部材の他端部側を上記第１及び第２のヘッドバンド部材の一端側に回動可能に枢支し、上記第１の枢支部の回動中心軸とほぼ直交する方向の回動中心軸を有する第２及び第３の枢支部とを備え、第１及び第２のスピーカユニット支持部材は、第１及び第２のスピーカユニットの外周側を囲むように湾曲された湾曲部、及び該湾曲部の一端側に第１及び第２のスピーカユニットを支持するスピーカユニット支持部を有し、第２及び第３の枢支部は、第１及び第２のスピーカユニット支持部材と第１及び第２のヘッドバンド部材とが近接する第１の位置と、第１及び第２のスピーカユニット支持部材と第１及び第２のヘッドバンド部材とが一連に連続させる第２の位置とを回動可能とし、第１の位置に回動されたとき、第１及び第２のスピーカユニットの少なくとも一部が、第１及び第２のスピーカユニット支持部材と第１及び第２のヘッドバンド部材との間に配置されるようにしたものである。
【００１６】
さらに、本発明は、第１及び第２のヘッドバンド部材と、これら第１及び第２のヘッドバンド部材の一端部側が近接離間するように上記第１及び第２のヘッドバンド部材の他端部側を回動可能に枢支する第１の枢支部と、それぞれの一端側に第１及び第２のスピーカユニットが取り付けられた第１及び第２のスピーカユニット支持部材と、これら第１及び第２のスピーカユニット支持部材の他端部側を上記第１及び第２のヘッドバンド部材の一端側に回動可能に枢支し、上記第１の枢支部の回動中心軸とほぼ直交する方向の回動中心軸を有する第２及び第３の枢支部とを有し、第１及び第２のスピーカユニット支持部材は、第１及び第２のスピーカユニットの外周側を囲むように湾曲された湾曲部、及び該湾曲部の一端側に上記第１及び第２のスピーカユニットを支持するスピーカユニット支持部を有し、第１及び第２のスピーカユニット支持部材には、他端部側に嵌合部が形成され、第１及び第２のヘッドバンド部材の他端部に突設された回動支持部の基端部側には第１及び第２のスピーカユニット支持部材と第１及び第２のヘッドバンド部材とが一連に連続するように回動されたとき、嵌合部が当接する係止段部が形成され、嵌合部及び係止段部が、湾曲部の湾曲された側に形成されている。
【００１７】
【発明の実施の形態】
以下、本発明に係るヘッドホン装置の具体的な例を図面を参照して説明する。
【００１８】
本発明に係るヘッドホン装置１は、図１及び図２に示すように、互いに連結されて後頭部に沿って装着される略半円状に湾曲されたヘッドバンド２を構成する第１及び第２のヘッドバンド部材３，４を備える。これらヘッドバンド部材３，４は、頭部に安定した状態で良好な装着感をもって装着し得るように一定の幅を有し、略半円状に湾曲されたヘッドバンド２の一部を構成するように湾曲形成されている。第１及び第２のヘッドバンド部材３，４は、ポリプロピレン（ＰＰ）やポリブチレンテレフタレート（ＰＢＰ）等の合成樹脂若しくは耐食性を有する金属により形成される。
【００１９】
第１及び第２のヘッドバンド部材３，４は、第１及び第２のスピーカユニット支持部材５，６が連結される一端部側が近接離間するように他端部側を第１の枢支部７を介して回動可能に連結される。第１の枢支部７は、図３に示すように、第１及び第２のヘッドバンド部材３，４の他端部側に突設された互いに組み合わせられる複数の係合片８，９と、これら係合片８，９を連結する支軸１０とから構成されている。複数の係合片８，９は、第１及び第２のヘッドバンド部材３，４の湾曲した内周面側から突設され、一方の複数の係合片８間に他方の複数の係合片９が相対嵌合するように一定の間隔を隔て互いに平行に形成されている。各係合片８，９には、図４に示すように、互いに組み合わせられたとき、互いに連通する軸挿通孔１１，１２が穿設されいる。第１及び第２のヘッドバンド部材３，４は、各係合片８，９を互いに組み合わせ、軸挿通孔１１，１２に支軸１０を挿通することにより連結され、この支軸１０を中心に一端部側が近接離間する図１及び図２中矢印Ａ1方向及びＡ2方向に回動可能に支持される。
【００２０】
第１のヘッドバンド部材３の他端部側の湾曲した外周側には、図５に示すように、第２のヘッドバンド部材４の他端部側の湾曲した外周側の端面４ａが当接する係止段部３ａが形成されている。第１及び第２のヘッドバンド部材３，４は、支軸１０を中心にして、図１及び図２中矢印Ａ2方向の一端部側が離間する開脚方向に回動されたとき、第２のヘッドバンド部材４の他端部側の端面４ａが第１のヘッドバンド部材３の係止段部３ａに当接して係止されることにより、回動位置が規制され、一連に連続して湾曲された後頭部に装着可能なヘッドバンド２となる。
【００２１】
第１のヘッドバンド部材３に設けられる係合片８の周面に、図５に示すように係止突起１５が設けられ、第２のヘッドバンド部材４側に係合片８の周面を摺接する弾性片１６を設けることにより、第１及び第２のヘッドバンド部材３，４の間欠的な回動を行うことがき、図１及び図２に示すように、後頭部に装着可能な状態に開脚したときの回動位置を保持し、開脚した状態を確実に保持して安定した頭部への装着操作を行うことができる。
【００２２】
上述のように第１の枢支部７を介して回動可能に連結された第１及び第２のへバンド部材３，４の一端側には、それぞれ第１及び第２のスピーカユニット支持部材５，６が回動可能に連結される。第１及び第２のスピーカユニット支持部材５，６は、第１及び第２のヘッドバンド部材３，４と同様に、ポリプロピレン（ＰＰ）やポリブチレンテレフタレート（ＰＢＰ）等の合成樹脂若しくは耐食性を有する金属により形成される。
【００２３】
第１のスピーカユニット支持部材５の一端側には、左チャンネル用の第１のスピーカユニット１７が支持され、第２のスピーカユニット支持部材６の一端側には、右チャンネル用の第２のスピーカユニット１８が支持されている。
【００２４】
第１及び第２のスピーカユニット支持部材５，６にそれぞれ支持される第１及び第２のスピーカユニット１７，１８は、図１及び図２に示すように、円形のハウジング１９内にスピーカ２０を収納して構成されている。ハウジング１９の放音面側である耳介への当接面側には、耳介への装着感を良好になすため、発泡ウレタン等の柔軟性を有する材料からからなるイヤーパッド２１が着脱自在に取り付けられている。
【００２５】
第１及び第２のスピーカユニット１７，１８を支持する第１及び第２のスピーカユニット支持部材５，６は、左右対称に形成されているので、第１のスピーカユニット支持部材５を挙げて説明すると、第１のスピーカユニット支持部材５は、中央部が、図６に示すように、この支持部材５の一端側に支持される円形をなす第１のスピーカユニット１７の外周側を囲むように湾曲された湾曲部２２を有し、この湾曲部２２の一端側に、湾曲部２２側に向かって折り曲げられたスピーカユニット支持部２３が設けられている。第１のスピーカユニット１７は、図６に示すように、湾曲部２２により外周側を囲まれるようにして、放音面側とは反対側の背面側の外周縁部にスピーカユニット支持部２３の先端部が固定されて第１のスピーカユニット支持部材５に支持されている。スピーカユニット支持部２３は、第１のスピーカユニット１７に先端部が固定されたとき、湾曲部２２が第１のスピーカユニット１７の放音面側に位置するように折り曲げられている。
【００２６】
そして、第１のスピーカユニット支持部材５の湾曲部２２の内周側には、このヘッドホン装置１を後述するように頭部に装着したとき、頭部と耳介との間に係止される耳掛け部２４が設けられている。この耳掛け部２４は、第１のスピーカユニット１７の放音面側に臨むように、すなわち第１のスピーカユニット１７の放音面と対向するように湾曲部２２の内周側に一体的に設けられている。耳掛け部２４は、図６に示すように、柔軟性を有するシリコーンゴムなどの弾性体により形成され、耳介の外周側に沿うように湾曲して形成されている。また、耳掛け部２４には、一層の柔軟性を確保し、良好な装着感をもって頭部と耳介との間に係止され得るように、貫通穴２５が設けられている。
【００２７】
上述のように、一端側に第１及び第２のスピーカユニット１７，１８を支持した第１及び第２のスピーカユニット支持部材５，６は、他端部側が第２及び第３の枢支部２６，２７を介して第１及び第２のヘッドバンド部材３，４の一端側に回動可能に支持される。
【００２８】
第２及び第３の枢支部２６，２７は、同一の構成を有するので、第２の枢支部２６を挙げて詳細を説明すると、第２の枢支部２６は、図７に示すように、第１のヘッドバンド部材３の一端側に形成した平板状に形成された回動支持部２８と、第１のスピーカユニット支持部材５の他端部側に形成された回動支持部２８が嵌合する断面Ｕ字状をなす嵌合部２９とを有する。回動支持部２８は、第１のヘッドバンド支持部材３の一端部から平行に突設された一対の回動片２８ａ，２８ｂとこれら回動片２８ａ，２８ｂを連結する中心に支軸３０が挿通される軸挿通孔３１が穿設された軸挿通部３２とから構成され、全体で糸巻き用のボビンの如く形成されている。軸挿通部３２の周囲の一対の回動片２８ａ，２８ｂ間の空隙は、後述する接続コードの挿通部とされる。一方、嵌合部２９は、回動支持部２８が圧接するように嵌合するに足る幅を有するＵ字状に形成され、相対向する側壁２９ａ，２９ｂには、軸挿通孔３１に挿通される支軸３０が挿通される軸挿通孔３３及びネジ孔３４が穿設されている。
【００２９】
第１のスピーカユニット支持部材５は、第１のヘッドバンド部材３に設けた回動支持部２８を、図８及び図９に示すように、軸挿通部３２に設けた軸挿通孔３１を嵌合部２９の軸挿通孔３３及びネジ孔３４に連通するようにこの嵌合部２９に嵌合し、嵌合部２９の軸挿通孔３３から挿通されるネジ状の支軸３０を軸挿通部３２に設けた軸挿通孔３１に挿通し、ネジ孔３４に螺合させることにより、支軸３０を中心にして、図１中矢印Ｂ１方向及び矢印Ｂ２方向に回動可能に第１のヘッドバンド部材３に連結される。
【００３０】
そして、第１のヘッドバンド部材３の他端部に突設した回動支持部２８の基端部側には、第１のスピーカユニット支持部材５が第１のヘッドバンド部材３に連続するように回動されたとき、嵌合部２９の端面２９ｃが当接する係止段部３５が形成されている。第１のスピーカユニット支持部材５は、支軸３０を中心にして図１中矢印Ｂ２方向に回動され、嵌合部２９の端面２９ｃが係止段部３５に当接するまで回動されることにより、図２に示すように、第１のヘッドバンド支持部材３に一連に連続した状態となり、図１中矢印Ｂ２方向へのさらなる回動が規制される。
【００３１】
また、嵌合部２９を構成する側壁２９ａ，２９ｂの開放端側の下端縁側には、相対向する内方側に向かって突出された係止突起３６，３６が突設されている。これら係止突起３６，３６は、第１のスピーカユニット支持部材５が図２に示すように、第１のヘッドバンド支持部材３に一連に連続した状態になるまで支軸３０を中心に回動されたとき、図８及び図９に示すように、回動支持部２８を構成する回動片２８ａ，２８ｂの基端部側の下端縁に形成した係合凹部３７に相対係合することにより、第１のスピーカユニット支持部材５の第１のヘッドバンド部材３に対する自由な回動が規制され、一連に連続した状態が保持される。
【００３２】
ところで、第１及び第２のスピーカユニット支持部材５，６を第１及び第２のヘッドバンド部材３，４にそれぞれ回動可能に連結する第２及び第３の枢支部２６，２７は、図１及び図２に示すように、第１及び第２のヘッドバンド部材３，４を回動可能に連結する第１の枢支部７の回動中心軸Ｐ1に対し、回動中心軸Ｐ2がほぼ直交するように構成されている。すなわち、第２及び第３の枢支部２６，２７は、支軸３０が第１の枢支部７の支軸１０に対し直交するように設けられる。
【００３３】
このように、第２及び第３の枢支部２６，２７の回動中心軸Ｐ2を第１の枢支部７の回動中心軸Ｐ1に対し直交するように構成することにより、第１の枢支部７を中心に回動されて折り畳まれる第１及び第２のヘッドバンド部材３，４側に第１及び第２のスピーカユニット支持部材５，６を折り畳むことができ、ヘッドホン装置１を極めて小型に折り畳むことができる。
【００３４】
ところで、本発明に係るヘッドホン装置１においては、第２のスピーカユニット１８から引き出される接続コード３８は、ハウジング１９に設けた図示しないコード挿通孔を介して第２のスピーカユニット１８の外方に引き出され、このスピーカユニット１８を支持する第２のスピーカユニット支持部材６に設けたコード挿通溝３９に挿通される。この接続コード３８は、さらに、第３の枢支部２７を亘って第２のヘッドバンド支持部材４に設けたコード挿通溝４０に挿通され、第１の枢支部７を亘って第１のヘッドバンド部材３に設けたコード挿通溝４０に挿通し、さらに、第２の枢支部２６を亘って第１のスピーカユニット支持部材５に設けたコード挿通溝３９に挿通される。第１のスピーカユニット支持部材５に挿通された接続コード３８は、スピーカユニット支持部２３の先端部から引き出され、第１のスピーカユニット１７にハウジング１９に設けた図示しないコード挿通孔を介してこのハウジング１９内に挿通される。第１のスピーカユニット１７のハウジング１９内に挿通された接続コード３８は、このハウジング１９内で第１のスピーカユニット１７から引き出される外部接続コード４１に接続され、外部接続コード４１と一体となって第１のスピーカユニット１７から外方に引き出される。
【００３５】
なお、外部接続コード４１の端部には、ディスクプレーヤ等の音響機器に接続するための接続用プラグ４２が設けられている。
【００３６】
ところで、第１及び第２のスピーカユニット支持部材５，６、第１及び第２のヘッドバンド部材３，４に挿通されて、第２のスピーカユニット１８側から第１のスピーカユニット１７側に引き出される接続コード３８は、第２及び第３の枢支部２６，２７を介して回動可能に連結された第１及び第２のスピーカユニット支持部材５，６と第１及び第２のヘッドバンド部材３，４との間に亘り、第１の枢支部７を介して回動可能に連結された第１及び第２のヘッドバンド部材３，４間に亘って延在されるので、第１及び第２のスピーカユニット支持部材５，６が第２及び第３の枢支部２６，２７を回動中心にして第１及び第２のヘッドバンド部材３，４に対し回動され、第１及び第２のヘッドバンド部材３，４が第１の枢支部７を中心に回動されるとき、第２のスピーカユニット１８から第１のスピーカユニット１７に至る経路に差が生ずる。すなわち、本発明に係るヘッドホン装置１においては、第１及び第２のスピーカユニット支持部材５，６を第１及び第２のヘッドバンド部材３，４に対し折り畳み、第１及び第２のヘッドバンド部材３，４を折り畳んだときの状態と、頭部に装着可能な状態に広げたときとで、接続コード３８の第２のスピーカユニット１８から第１のスピーカユニット１７に至る経路の長さが可変される。
【００３７】
そこで、接続コード３８は、第２のスピーカユニット１８から第１のスピーカユニット１７に至る経路の可変に対応するように、この経路が最も長くなる第１及び第２のスピーカユニット支持部材５，６と第１及び第２のヘッドバンド部材３，４が折り畳まれたときの経路に沿うに足る長さを有する。このように、最大長の経路に対応する長さを有する接続コード３８は、ヘッドホン装置１が頭部に装着し得るように第１及び第２のスピーカユニット支持部材５，６と第１及び第２のヘッドバンド部材３，４が一連に連続した広げられたとき、第２のスピーカユニット１８から第１のスピーカユニット１７に至る経路の途中に余分が生じ、途中で折れ曲がりや第１及び第２のスピーカユニット支持部材５，６に設けたコード挿通溝３９や第１及び第２のヘッドバンド支持部材３，４に設けたコード挿通溝４０から飛び出してしまう。
【００３８】
接続コード３８に折れ曲がりが発生すると断線を発生するおそれがあり、コード挿通溝３９，４０が外方に飛び出してしまうと、十分な保護を図ることができなくなり、僅かの衝撃や異物への接触によって弾性を生ずるおそれがある。
【００３９】
そこで、本発明に係るヘッドホン装置１においては、第２のスピーカユニット１８から第１のスピーカユニット１７に至る経路に延在される接続コード３８は、第１及び第２のスピーカユニット支持部材５，６を第１及び第２のヘッドバンド部材３，４に回動可能に枢支する第２及び第３の枢支部２６，２７の部分で、経路の変更に伴って生ずる余分を吸収するように構成されている。
【００４０】
すなわち、接続コード３８は、第２及び第３の枢支部２６，２７の回動中心軸である支軸３０を中心にして第１及び第２のスピーカユニット支持部材５，６の第１及び第２のヘッドバンド部材３，４に対する近接する方向への回動方向の外周側に余裕分が設けられている。
【００４１】
接続コード３８に余裕分を設ける構成は、第２及び第３の枢支部２６，２７において同様の構成を有するので、第２の枢支部２６側部分を図１０及び図１１を参照してさらに説明すると、接続コード３８は、第１のスピーカユニット支持部材５が第２の枢支部２６の支軸３０を中心に図１０中矢印Ｂ2方向に回動され、第１のヘッドバンド部材３と一連に連続する広げられた状態となされたとき、第１のスピーカユニット支持部材５が第１のヘッドバンド部材３に対し近接方向の図１０中矢印Ｂ1方向に回動される回動方向の外周側に、支軸３０から一定の距離Ｄ1だけ離間して延在するように配設されて余裕分が設けられる。接続コード３８を支軸３０から一定の距離Ｄ1だけ離間して延在するように配設するため、第１のスピーカユニット支持部材５に設けられるコード挿通溝３９及び第１のヘッドバンド支持部材３に設けられるコード挿通溝４０は、接続コード３８が支軸３０から一定の距離Ｄ1だけ離間した位置に延在されるに深さをもって形成され、支軸３０が挿通される連結部３２が一対の回動片２８ａ，２８ｂの中間部分に設けられている。
【００４２】
このように、支軸３０の外周側に接続コード３８の余裕分を設けることにより、第１のスピーカユニット支持部材５が第２の枢支部２６の支軸３０を中心に図１０中矢印Ｂ1方向の第１のヘッドバンド部材３に近接する方向に回動され、あるいは、第１のヘッドバンド部材３が図１０中矢印Ｂ2方向の第１のスピーカユニット支持部材５に近接する方向に回動されるとき、接続コード３８は、図１１に示すように、支軸３０との間の一定の距離Ｄ1の空間の範囲で湾曲しながら移動し、第２のスピーカユニット１８から第１のスピーカユニット１７に至る経路の変化を吸収し、第２のスピーカユニット１８から第１のスピーカユニット１７に至る経路の途中での折れ曲がりや第１及び第２のスピーカユニット支持部材５，６に設けたコード挿通溝３９や第１及び第２のヘッドバンド支持部材３，４に設けたコード挿通溝４０からの飛び出しが防止される。
【００４３】
接続コード３８は、金属製の導線を合成樹脂材料で被覆して形成されてなるので、湾曲された場合に一定の弾性復帰力を有するので、第１のスピーカユニット支持部材５が第２の枢支部２６の支軸３０を中心に図１０中矢印Ｂ2方向に回動され、第１のヘッドバンド部材３と一連に連続する広げられた状態となされるとき、弾性復帰し、図１１に示すように、支軸３０から一定の距離Ｄ1だけ離間して延在する位置に復帰される。
【００４４】
なお、接続コード３８は、第１の枢支部７の部分では、余裕分を設けることなくこの枢支部７の回転中心である支軸１０上に沿って第１及び第２のヘッドバンド部材３，４間に延在されている。
【００４５】
上述のように構成された本発明に係るヘッドホン装置１は、頭部に装着する場合には、第１及び第２のスピーカユニット支持部材５，６を第２及び第３の枢支部２６，２７を中心にして図１中矢印Ｂ2方向に回動し、第１及び第２のヘッドバンド部材３，４に一連に連続させ、さらに、第１及び第２のヘッドバンド部材３，４を第１の枢支部７を中心にして図１中矢印Ａ2方向に回動して一連に連続させた状態となす。
【００４６】
図１及び図２に示すように、第１及び第２のスピーカユニット支持部材５，６、と第１及び第２のヘッドバンド部材３，４が広げられたヘッドホン装置１は、図１２に示すように、ヘッドバンド２が後頭部側に位置するようにして頭部５１に装着され、第１及び第２のスピーカユニット１７，１８が左右の耳介５２上に位置される。第１及び第２のスピーカユニット支持部材５，６の湾曲部２２の内周側に設けた耳掛け部２４が、図１３に示すように、頭部５１と耳介５２との間に係止される。この耳掛け部２４は、第１及び第２のスピーカユニット１７，１８の放音面に対向するように設けられているので、第１及び第２のスピーカユニット１７，１８と共同して耳介５２の一部を挟持するように支持し、一層安定した装着状態を実現する。
【００４７】
また、耳掛け部２４は、柔軟性を有するシリコーンゴムなどの弾性体により形成されているので、良好な装着感を得ることができる。
【００４８】
また、本発明に係るヘッドホン装置１は、頭部から外して持ちは部場合や保管する場合に、第１及び第２のスピーカユニット支持部材５，６と第１及び第２のヘッドバンド部材３，４を折り畳むことにより小型化することができる。
【００４９】
本発明に係るヘッドホン装置１を折り畳むには、図１４及び図１５に示すように、第１及び第２のスピーカユニット支持部材５，６を第２及び第３の枢支部２６，２７を中心にして矢印Ｂ1方向に回動し、第１及び第２のヘッドバンド部材３，４側に近接させる。次いで、第１及び第２のヘッドバンド部材３，４を、一端側が互いに近接するように、第１及び第２のスピーカユニット支持部材５，６の回動方向に直交する方向である第１の枢支部７を中心に図１５中矢印Ａ1方向に回動することにより、図１６に示すように折り畳まれて小型化される。
【００５０】
このとき、第１及び第２のスピーカユニット支持部材５，６に設けた耳掛け部２４は、図１６に示すように、第１及び第２のスピーカユニット支持部材５，６と第１及び第２のヘッドバンド部材３，４とによって囲まれた領域内に収納された状態となり、柔軟性を有する耳掛け部２４の保護が実現される。
【００５１】
【発明の効果】
上述したように、本発明に係るヘッドホン装置は、スピーカユニットを支持したスピーカユニット支持部材及びスピーカユニット支持部材を支持するヘッドバンドを折り畳み可能となし、持ち運び時や搬送時に小型化しながら、耳掛け部を設けることにより良好な装着感を実現できる。
【００５２】
また、装着感及の向上を図る耳掛け部は、折り畳まれたとき、スピーカユニット支持部材及びヘッドバンド部材により囲まれた領域内に収納されるので、柔軟性を有する弾性体を用いて形成した場合であっても確実な保護が図られる。
【００５３】
さらに、一方のスピーカユニットから引き出される接続コードがスピーカユニット支持部材及びヘッドバンド部材を介して他方のスピーカユニット側に延在され、他方のスピーカユニットから引き出される接続コードと一体化されて外部に引き出されるので、外部接続コードは、一方の側からのみ引き出される構成とすることができ、頭部への装脱を容易に行うことができるばかりか良好な装着状態を得ることができる。
【００５４】
また、接続コードは、スピーカユニット支持部材及びヘッドバンド部材が折り畳まれるときの経路の変更を吸収するように余裕分が設けられているので、スピーカユニット支持部材及びヘッドバンド部材の折り畳みによって発生する折れ曲がりなどにより損傷を受けることが防止でき、信頼性の高い折り畳み式のヘッドホン装置を構成できる。
【図面の簡単な説明】
【図１】本発明に係るヘッドホン装置の斜視図である。
【図２】上記ヘッドホン装置の平面図である。
【図３】第１及び第２のヘッドバンド部材を連結する第１の枢支部を示す分解斜視図である。
【図４】第１及び第２のヘッドバンド部材を連結した状態を示す斜視図である。
【図５】第１及び第２のヘッドバンド部材を連結する第１の枢支部を示す断面図である。
【図６】本発明に係るヘッドホン装置の側面図である。
【図７】第１のヘッドバンド部材と第１のスピーカユニット支持部材を連結する第２の枢支部を示す分解斜視図である。
【図８】上記第２の枢支部を介して連結された第１のヘッドバンド部材と第１のスピーカユニット支持部材を示す部分側面図である。
【図９】上記第２の枢支部を介して連結された第１のヘッドバンド部材と第１のスピーカユニット支持部材を示す部分底面図である。
【図１０】上記第２の枢支部を介して連結された第１のヘッドバンド部材と第１のスピーカユニット支持部材を示す断面図である。
【図１１】第１のヘッドバンド部材に対し第１のスピーカユニット支持部材を折り畳む状態を示す断面図である。
【図１２】本発明に係るヘッドホン装置を頭部に装着する状態を示す斜視図である。
【図１３】第１のスピーカユニットが耳介に装着された状態を示す斜視図である。
【図１４】第１及び第２のスピーカユニット支持部材を折り畳んだ状態を示す側面図である。
【図１５】第１及び第２のスピーカユニット支持部材を折り畳んだ状態を示す平面図である。
【図１６】第１及び第２のスピーカユニット支持部材を折り畳み、さらに第１及び第２のヘッドバンド部材を折り畳んだ状態を示す折り畳んだ状態を示す平面図である。
【符号の説明】
１ヘッドホン装置、  ２  ヘッドバンド、  ３  第１のヘッドバンド部材、  ４  第２のヘッドバンド部材、  ５  第１のスピーカユニット支持部材、  ６  第２のスピーカユニット支持部材、  ７  第１の枢支部、  １７  第１のスピーカユニット、  １８  第２のスピーカユニット、  ２４  耳掛け部、  ２６  第２の枢支部、  ２７  第３の枢支部、  ３８  接続コード、  ３９  コード挿通溝、  ４０  コード挿通溝。
【図１】
0004123600.tif 000002
【図２】
0004123600.tif 000003
【図３】
0004123600.tif 000004
【図４】
0004123600.tif 000005
【図５】
0004123600.tif 000006
【図６】
0004123600.tif 000007
【図７】
0004123600.tif 000008
【図８】
0004123600.tif 000009
【図９】
0004123600.tif 000010
【図１０】
0004123600.tif 000011
【図１１】
0004123600.tif 000012
【図１２】
0004123600.tif 000013
【図１３】
0004123600.tif 000014
【図１４】
0004123600.tif 000015
【図１５】
0004123600.tif 000016
【図１６】
0004123600.tif 000017